(57)【要約】【課題】蓋部材で塞ぐような開口部がケースに無くても、パーキング機構をケース内に取り付けることのできるパーキング機構付き駆動装置を提供する。【解決手段】第１のケース１と第２のケース２とが結合され、かつ、第１のケース１の内部に、回転部材の回転を規制するパーキング機構４が配置されるパーキング機構付き駆動装置Ａ１において、第１のケース１には、第１のケース１を成形する型を、成形後の第１のケース１から離型することにより形成された開口部１Ａが設けられており、パーキング機構４は、開口部１Ａを経由して第１のケース１の内部に配置されたものである。【選択図】　図１
2004116738.tif 000002
【特許請求の範囲】
【請求項１】
第１のケースと第２のケースとが結合され、かつ、第１のケースの内部に、回転部材の回転を規制するパーキング機構が配置されるパーキング機構付き駆動装置において、
前記第１のケースには、この第１のケースを成形する型を、成形後の第１のケースから離型することにより形成された開口部が設けられており、前記パーキング機構は、前記開口部を経由して前記第１のケースの内部に配置されたものであることを特徴とするパーキング機構付き駆動装置。
【請求項２】
前記第１のケースと前記第２のケースとの間に、他方のケースに接触して前記第１のケースと第２のケースとを位置決めする位置決め部材が設けられており、前記パーキング機構はパーキングポールを有し、
前記第１のケースと第２のケースとの間に、他方のケースに接触することにより、前記パーキングポールを回転可能に保持する保持部材が設けられており、
前記第１のケースと第２のケースとを結合する場合は、前記位置決め部材が他方の部材に接触して前記第１のケースと第２のケースとが位置決めされ、その後、前記保持部材が他方のケースに接触して前記パーキングポールが回転可能に保持される構成であることを特徴とする請求項１に記載のパーキング機構付き駆動装置。
【発明の詳細な説明】
【０００１】
【発明の属する技術分野】
この発明は、パーキング機構をケースの内部に配置したパーキング機構付き駆動装置に関するものである。
【０００２】
【従来の技術】
車両用の自動変速機においては、車両の停車時に回転部材が回転することを防止するためのパーキング機構が設けられており、その一例が、下記の特許文献１（特開平１１−３７２９１号公報）に記載されている。この特許文献１においては、トランスミッションケースとリヤエクステンションとがボルトにより結合され、トランスミッションケースの内部に変速機構が収容されている。この変速機構の出力軸にはパーキングギヤが設けられている。また、パーキングギヤに対応する位置、具体的には、トランスミッションケース側にパーキング機構がレイアウトされている。このパーキング機構は、パーキングギヤに噛み合うパーキングポール、ロッド、サポートアクチュエータ、カムなどを有している。また、トランスミッションケースの下部には開口部が形成されている。なお、パーキング機構に関連する技術として、前述した特許文献１の他に、特許文献２（実願平５−２１４３５号（実開平６−７８１３２号公報）の内容が記録されたＣＤ−ＲＯＭ）が知られている。
【０００３】
【特許文献１】
特開平１１−３７２９１号公報（第３頁、図１ないし図４）
【特許文献２】
実願平５−２１４３５号（実開平６−７８１３２号公報）の内容が記録されたＣＤ−ＲＯＭ
【０００４】
【発明が解決しようとする課題】
上記の特許文献１において、トランスミッションケースの内部にパーキング機構を取り付ける場合は、トランスミッションケースの下部に形成された開口部から、パーキング機構を取り付けることが考えられる。なお、この開口部は、オイルパンなどの蓋部材で閉じられると考えられる。
【０００５】
ところで、トランスミッションケースの下部に、蓋部材で閉じるような開口部を設けないことも考えられるが、このようなケースにおいては、パーキング機構をケースにどのように取り付けるかが不明である。したがって、蓋部材で閉じるような開口部を備えていないケースの内部に、パーキング機構を取り付けたパーキング機構付き駆動装置を構成することが困難であった。
【０００６】
この発明は上記の事情を背景としてなされたものであって、蓋部材で塞ぐような開口部が無いケースの内部に、パーキング機構を取り付けることのできるパーキング機構付き駆動装置を提供することを目的としている。
【０００７】
【課題を解決するための手段およびその作用】
上記の目的を達成するため請求項１の発明は、第１のケースと第２のケースとが結合され、かつ、第１のケースの内部に、回転部材の回転を規制するパーキング機構が配置されるパーキング機構付き駆動装置において、前記第１のケースには、この第１のケースを成形する型を、成形後の第１のケースから離型することにより形成された開口部が設けられており、前記パーキング機構は、前記開口部を経由して前記第１のケースの内部に配置されたものであることを特徴とするものである。
【０００８】
請求項１の発明によれば、第１のケースを成形する型を、成形後の第１のケースから離型する際に、第１のケースに開口部が形成されており、その開口部を利用して、パーキング機構が第１のケースの内部に配置される。
【０００９】
請求項２の発明は、請求項１の構成に加えて、前記第１のケースと前記第２のケースとの間に、他方のケースに接触して前記第１のケースと第２のケースとを位置決めする位置決め部材が設けられており、前記パーキング機構はパーキングポールを有し、前記第１のケースと第２のケースとの間に、他方のケースに接触することにより、前記パーキングポールを回転可能に保持する保持部材が設けられており、前記第１のケースと第２のケースとを結合する場合は、前記位置決め部材が他方の部材に接触して前記第１のケースと第２のケースとが位置決めされ、その後、前記保持部材が他方のケースに接触して前記パーキングポールが回転可能に保持される構成であることを特徴とするものである。
【００１０】
請求項２の発明によれば、請求項１の発明と同様の作用が生じる他に、第１のケースと第２のケースとを結合する際に、先ず、位置決め部材が他方のケースに接触することにより、第１のケースと第２のケースとが位置決めされる。その後、保持部材が他方の部材に接触して、パーキングポールが、第１のケースおよび第２のケースにより回転可能に保持される。
【００１１】
【発明の実施の形態】
つぎに、この発明の一実施例を添付図面に基づいて説明する。図１および図２に示すパーキング機構付き駆動装置Ａ１は、例えば、車両の駆動力源（図示せず）と車輪（図示せず）との間の動力伝達経路に配置される。なお、パーキング機構付き駆動装置Ａ１を、以下、ユニットＡ１と略記する。このユニットＡ１は、ケース１およびハウジング２を有している。このケース１は、開口部１Ａを取り囲む端面１Ｂを有し、ハウジング２は、開口部２Ａを取り囲む端面２Ｂを有している。そして、端面１Ｂと端面２Ｂとが接触された状態で、ケース１とハウジング２とが、ねじ部材（図示せず）などにより固定されている。ケース１とハウジング２とが結合固定された状態では、ケース１の内部とハウジング２の内部とが、開口部１Ａ，２Ａを境界として連通する。
【００１２】
また、ケース１には端面１Ｂに開口する穴１Ｃが設けられており、ハウジング２には端面２Ｂに開口する穴２Ｃが設けられている。そして、穴１Ｃおよび穴２Ｃの両方に亘ってノックピン３２が配置されている。このノックピン３２により、ケース１とハウジング２とが、端面１Ｂ，２Ｂと平行な方向に位置決めされている。
【００１３】
一方、図２に示すように、ケース１の内部には、変速機構（図示せず）および回転軸３が設けられており、駆動力源の動力が、変速機構を経由して回転軸３に伝達されるように構成されている。また、回転軸３の回転を規制するパーキング機構４が、ケース１およびハウジング２の内部、主としてケース１の内部に配置されている。
【００１４】
以下、パーキング機構４の構成を説明する。まず、回転軸３と一体回転するパーキングギヤ５が設けられており、パーキングギヤ５の外周には、凹部６と凸部７とが円周方向に交互に形成されている。すなわち、パーキングギヤ５は、凹部６と凸部７とから構成される外歯を有している。さらに、パーキングポール８が設けられており、パーキングポール８はポールシャフト９を中心として回転可能に支持されている。
【００１５】
また、ケース１には保持面５０が設けられている。この保持面５０は端面１Ｂと平行に形成され、開口部１Ａに臨んで配置されている。さらに保持面５０には穴３３が形成されている。これに対して、ハウジング２には保持面５１が設けられている。この保持面５１は端面２Ｂと平行に形成され、開口部２Ａに臨んで配置されている。さらに保持面５１には穴３４が形成されている。そして、前記ポールシャフト９は、穴３３，３４の両方に挿入されている。
【００１６】
また、ケース１とハウジング２とが固定された状態において、保持面５０と保持面５１との間に、パーキングポール８の一部が保持される。ここで、保持面５０と保持面５１との間の距離Ｌ３が、パーキングポール８の厚さｔ１よりも若干大きくなるように設定されている。このようにして、パーキングポール８は、ポールシャフト９を介して、ケース１およびハウジング２により回転可能に支持されている。なお、穴３４の入口には面取り３５が施されている。
【００１７】
また、ケース１にはピン１０が設けられており、ピン１０にはねじりコイルばね１１が取り付けられている。ねじりコイルばね１１の一端はケース１に接触され、ねじりコイルばね１１の他端はパーキングポール８に接触されている。そして、ねじりコイルばね１１の弾性力により、パーキングポール８が、図２において時計方向に回転する向きに付勢されている。
【００１８】
また、パーキングポール８の自由端側には接触部１２が形成されている。さらに、パーキングポール８であって、ポールシャフト９と接触部１２との間には、爪部１３が形成されている。さらに、ケース１には保持部１５が一体的に設けられており、保持部１５内にロックスリーブ１６が嵌合されている。保持部１５は、図２に示すように、所定角度範囲の円弧形状、つまり、ほぼＣ字形状に構成されており、切欠部１６Ｂを有する。なお、図１に示すように、保持部１５であって、ハウジング２に臨む端面１５Ａと、ロックスリーブ１６であって、ハウジング２に臨む端面１６Ａと、ケース１の端面１Ｂとが、ほぼ同一平面上に配置されている。ロックスリーブ１６にはガイド穴１７が形成されており、ガイド穴１７の内周には、回転軸３の軸線方向に延ばされ、かつ、円弧形状に構成されたガイド面１８が形成されている。
【００１９】
また、ガイド穴１７の内周であって、ガイド面１８よりもハウジング２に近い位置には、傾斜面１９が連続されている。さらに、傾斜面１９よりもハウジング２に近い位置には、保持面２０が連続されている。この保持面２０は、パーキングポール８の接触部１２の下方に配置されている。また、ケース１には、ねじ部材３６によりストッパプレート３７が固定されている。ストッパプレート３７が、端面１５Ａ，１６Ａに接触して、ケース１とロックスリーブ１６とを位置決めしている。なお、ストッパプレート３７には穴３８が形成されている。
【００２０】
さらに、図１に示すように、ケース１にはシャフト２１が回転自在に取り付けられている。このシャフト２１は、シフトポジションの切り替えに対応して回転する。シフトポジションの切り替えにより、変速機構の変速比の制御範囲が変更される。この実施例では、例えば、Ｐ（パーキング）ポジション、Ｒ（リバース）ポジション、Ｎ（ニュートラル）ポジション、Ｄ（ドライブ）ポジション、Ｂ（ブレーキ）ポジションなどを相互に切り替えできる。
【００２１】
前記シャフト２１にはレバー２２が取り付けられている。レバー２２はＶ字形状に屈曲されており、その屈曲部分にシャフト２１が連結されている。このレバー２２の一端には節度山２３が形成されている。この節度山２３は、各シフトポジションに対応する凹部を有している。また、ケース１の内部には、これらの凹部に対して係合・離脱自在なロックピン２４が設けられている。
【００２２】
さらにレバー２２であって、節度山２３とは反対側の端部にはパーキングロッド２５が連結されている。パーキングロッド２５とレバー２２とは相対回転可能に連結されており、パーキングロッド２５の自由端にはストッパ２６が形成されている。また、パーキングロッド２５であって、ストッパ２６と、パーキングロッド２５とレバー２２との連結部分との間には、カム部材２７が取り付けられている。このカム部材２７とパーキングロッド２５とは、パーキングロッド２５の長さ方向に相対移動可能である。
【００２３】
さらにまた、パーキングロッド２５にはカシメ部３０が設けられているとともに、カシメ部３０とカム部材２７との間に圧縮ばね３１が介在されている。そして、圧縮ばね３１の弾性力により、カム部材２７がストッパ２６に向けて押圧されている。なお、上記のケース１には、オイルパンなどの蓋部材を取り付ける開口部は設けられていない。
【００２４】
つぎに、車両に搭載されたユニットＡ１の作用を説明する。シフトポジションとして、例えば、Ｄポジションが選択された場合は、レバー２２およびパーキングロッド２５が、図１で二点鎖線で示す位置に停止する。この状態では、カム部材２７がガイド面１８と接触しており、カム部材２７とパーキングポール８とは接触していない。したがって、パーキングポール８の爪部１３とパーキングギヤ５との係合が解除され、回転軸３の回転が許容される。
【００２５】
これに対して、シフトポジションが、Ｐポジション以外のポジションから、Ｐポジションに切り換えられた場合は、シャフト２１およびレバー２２が、図２において反時計方向に回転する。すると、レバー２２の回転に伴い、パーキングロッド２５が、図１において右方向に動作する。
【００２６】
すると、カム部材２７が、ガイド面１８上から傾斜面１９上に移行し、傾斜面１９に沿って動作する。このとき、パーキングギヤ５の円周方向において、凹部６とパーキングポール８の爪部１３とが同一の位相にあれば、カム部材２７により押圧されるパーキングポール８が、図２において反時計方向に回転するとともに、パーキングロッド２５の先端が穴３８に進入し、カム部材２７が保持面２０により保持される。このようにして、爪部１３が図２に示すように凹部６に進入すると、パーキングポール８とパーキングギヤ５とが係合された状態となり、パーキングギヤ５および回転軸３の回転が防止される。
【００２７】
このパーキング機構４において、パーキングギヤ５からパーキングポール８に伝達される荷重は、カム部材２７、ロックスリーブ１６を経由して保持部１５に伝達される。パーキングギヤ５からパーキングポール８に伝達される荷重としては、車両の走行中に、Ｐポジション以外のポジションから、Ｐポジションに変更されて、パーキングギヤ５とパーキングポール８とが噛み合う場合に発生する大荷重と、パーキングギヤ５とパーキングポール８とが噛み合った状態で、坂道で車両を停車させておく場合に、道路勾配に応じて発生する大荷重と、Ｐポジション以外のポジションから、Ｐポジションに変更されて、パーキングポール８がパーキングギヤ５にはじかれた場合に発生する衝撃荷重とが挙げられる。
【００２８】
つぎに、ユニットＡ１の製造工程を説明する。ユニットＡ１の製造工程には、ケース１の成形工程と、ユニットＡ１の組み立て工程とが含まれる。まず、ケース１の成形工程を図３に基づいて説明する。ケース１を成形する金型Ｂ１が設けられており、金型Ｂ１は、第１の型４０および第２の型４１を有している。この第１の型４０には凹部４２が形成され、第２の型４１には凸部４３が形成されている。
【００２９】
そして、第１の型４０と第２の型４１とを型締めすると、凹部４２と凸部４３との間に成型キャビティ４４が形成される。この成型キャビティ４４にアルミニウムなどの金属材料を加圧注入し、その金属材料の固化により、成型品であるケース１が成形される。このように、ケース１は、いわゆるダイカスト鋳造法により製造される。ケース１の成形後、第１の型４０と第２の型４１とを型開きするとともに、第２の型４０をケース１から離型すると、ケース１に開口部１Ａが成形される。
【００３０】
つぎに、ユニットＡ１の組み立て工程を説明する。この組み立て工程においては、ケース１とハウジング２とを結合する前に、パーキング機構４をケース１内に取り付ける。具体的には、パーキング機構４を開口部１Ａを経由させてケース１の内部に取り付ける。したがって、蓋部材などを取り付ける開口部がないケース１であっても、ハウジング２の内部に連通する前の開口部１Ａを利用して、パーキング機構４を容易にケース１内に取り付けることができる。さらに、蓋部材を取り付ける必要もないため、蓋部材、蓋部材を取り付けるボルト、蓋部材を取り付ける部位の面取り、蓋部材の取り付け工程、蓋部材用のダイカスト型などを削減でき、低コストおよびコンパクトにパーキング機構付き駆動装置を製造できる。
【００３１】
上記のようにして、ケース１にパーキング機構４を取り付けた後、ケース１とハウジング２とを結合固定する。この工程では、ケース１とハウジング２とを結合する前に、ノックピン３２がケース１の穴１Ｃに取り付けられ、かつ、ポールシャフト９が、ケース１の穴３３に取り付けられる。また、ポールシャフト９にはパーキングポール８が取り付けられる。
【００３２】
ここで、ケース１の端面１Ｂからのノックピン３２の突出量Ｌ１は、ケース１の端面１Ｂからのポールシャフト９の突出量Ｌ２よりも長く設定されている。そして、ケース１とハウジング２とを近づけると、先ずノックピン３２がハウジング２の穴２Ｃに進入して、ケース１とハウジング２とが、端面１Ｂ，２Ｂと平行な方向に位置決めされる。その後、ポールシャフト９がハウジング２の穴３４に進入して、ケース１およびハウジング２により、パーキングポール８が回転可能に保持される。そして、ケース１の端面１Ｂとハウジング２の端面２Ｂとが接触し、ねじ部材（図示せず）を締め付けて、ケース１とハウジング２との結合工程が終了する。
【００３３】
このように、ケース１とハウジング２とを結合する工程において、ポールシャフト９がハウジング２の保持面５１に接触する前に、ノックピン３２によりケース１とハウジング２とが位置決めされる。したがって、ポールシャフト９の先端が、ハウジング２の保持面５１に接触して、保持面５１に傷を付けるなどの不具合が発生することを防止できる。したがって、パーキングポール８の摺動不良および動作不良を未然に防止できる。
【００３４】
さらに、ノックピン３２の先端部には、先端から離れることに伴い拡径する向きのテーパが付与されている。このため、ノックピン３２を穴２Ｃにスムーズに挿入することができる。したがって、ケース１とハウジング２との結合作業性が向上し、組付け治具などを用いることなく、簡易にケース１とハウジング２とを位置決めできる。
【００３５】
さらに、保持部１５には、カム部材２７を介してねじりコイルばね１１の付勢力を受ける部位以外の箇所に、切欠部１６Ｂが形成されている。このため、ケース１の成形工程において、第２の型４１をケース１から離型する際に、第２の型４１の抜き方向に金属材料の駄肉が残存することなく、ケース１を成形できる。したがって、シャフト２１、レバー２２、パーキングロッド２５などの動作スペースを確保しやすくなる。
【００３６】
ここで、実施例の構成と、この発明の構成との対応関係を説明すれば、ケース１がこの発明の第１のケースに相当し、ハウジング２がこの発明の第２のケースに相当し、第１の型４１がこの発明の第１のケースを成形する型に相当し、ノックピン３２、穴１Ｃ，２Ｃが、この発明の位置決め部材に相当し、ポールシャフト９がこの発明の保持部材に相当し、回転軸３がこの発明の回転部材に相当する。
【００３７】
なお、図１に示す実施例では、ケース１とハウジング２とが固定された状態において、パーキング機構のほとんどが、第１のケース内に配置されるように構成されているが、パーキング機構が第１のケースおよび第２のケース内に亘って配置される構成に対しても、この発明を適用できる。また、第１のケースまたは第２のケースのうち、少なくとも一方のケースが、複数の部材から構成されていてもよい。さらに、回転部材は第１のケースまたは第２のケースのいずれに設けられていてもよい。また、位置決め部材は、第１のケースまたは第２のケースの少なくとも一方に設けられていればよい。
【００３８】
この実施例に開示された特徴的な構成を列挙すれば以下のとおりである。第１のケースと第２のケースとが結合され、かつ、少なくとも第１のケースの内部に、回転部材の回転を規制するパーキング機構が配置されるパーキング機構付き駆動装置において、前記第１のケースには開口部が設けられており、この開口部は、この第１のケースを成形する型を、成形後の第１のケースから離型することにより形成され、かつ、第１のケースと第２のケースとの結合により、第１のケースと第２のケースとの境界に配置される開口部であり、前記パーキング機構は、前記第１のケースと第２のケースとを結合する前に、前記開口部を経由して前記第１のケースの内部に配置されたものであることを特徴とするパーキング機構付き駆動装置である。
【００３９】
また、第２の特徴的な構成は、第１のケースと第２のケースとを結合することにより、少なくとも第１のケースの内部にパーキング機構を配置するパーキング機構付き駆動装置の製造方法において、複数の型により前記第１のケースを成形し、成形後の第１のケースから型を離型することにより、前記第１のケースに開口部形成し、第１のケースと第２のケースとを結合する前に、前記パーキング機構を、前記開口部を経由させて前記第１のケースの内部に配置することを特徴とするパーキング機構付き駆動装置の製造方法である。
【００４０】
さらに、第３の特徴的な構成は、第２の特徴的な構成において、前記第１のケースまたは前記第２のケースの少なくとも一方に、他方のケースに接触して前記第１のケースと第２のケースとを位置決めする位置決め部材が設けられており、前記パーキング機構はパーキングポールを有し、前記第１のケースまたは第２のケースの一方には、前記第１のケースと第２のケースとの結合にともない、他方のケースに接触することにより、前記パーキングポールを回転可能に保持する保持部材が設けられており、前記第１のケースと第２のケースとを結合する場合は、前記位置決め部材が他方の部材に接触して前記第１のケースと第２のケースとが位置決めされ、その後、前記保持部材が他方のケースに接触して前記パーキングポールが回転可能に保持される構成であることを特徴とするパーキング機構付き駆動装置の製造方法である。
【００４１】
【発明の効果】
以上説明したように請求項１の発明によれば、第１のケースを成形する工程で成形される開口部を利用して、パーキング機構を第１のケース内に配置することができる。したがって、第１のケースに、蓋部材を取り付ける開口部などが存在しない場合でも、パーキング機構を第１のケース内に取り付けることができる。
【００４２】
請求項２の発明によれば、請求項１の発明と同様の効果を得ることができるほかに、第１のケースと第２のケースとを結合する場合に、先ず、位置決め部材により第１のケースと第２のケースとを位置決めし、その後、保持部材が他方のケースに接触して、第１のケースおよび第２のケースにより、パーキングポールを回転可能に保持することができる。したがって、保持部材が他方のケースの所定の部位以外の部位に接触して、他方のケースに傷が付くことを抑制でき、パーキングポールの動作を良好に維持できる。
【図面の簡単な説明】
【図１】この発明のパーキング機構付き駆動装置の正面断面図である。
【図２】図１のケースの内部を開口部側から見た側面図である。
【図３】図１および図２に示すケースの成形工程を示す概念図である。
【符号の説明】
１…ケース、　１Ｂ…開口部、　１Ｃ，２Ｃ…穴、　２…ハウジング、　３…回転軸、　４…パーキング機構、　８…パーキングポール、　９…ポールシャフト、　３２…ノックピン、　４０…第１の型、　４１…第２の型、　Ａ１…パーキング機構付き駆動装置（ユニット）、　Ｂ１…金型。
【図１】
2004116738.tif 000003
【図２】
2004116738.tif 000004
【図３】
2004116738.tif 000005